(57)【要約】【課題】捕虫性能を向上させることができると共に、眩しさを抑制することができる捕虫機を提供すること。【解決手段】捕虫機１において、筐体２は凹部２２を有する。ＬＥＤ光源部３は、凹部２２の内側の空間である凹部空間２２１に配置される。また、ＬＥＤ光源部３は、紫外光と可視光とを含む光を発する。反射面４は、凹部形成面２２２の少なくとも一部である。また、反射面４は、ＬＥＤ光源部３が発した光を前方へ反射するように、前後方向に対して傾斜している。吸引口２３は、凹部形成面２２２に開口する。気流通路２０は、筐体２の内側の空間である。気流通路２０は、吸引口２３を介して、凹部空間２２１と連通する。気流発生部５は、吸引口２３を介して、凹部空間２２１から気流通路２０に向かう気流を発生させる。捕虫部６は、気流通路２０に配置される。また、反射面４には多数の溝が形成されている。【選択図】図１
0003235486.tif 000002
【実用新案登録請求の範囲】
【請求項１】
前面の一部が後方に後退することによって形成された凹部を有する筐体と、
上記凹部の内側の空間である凹部空間に配置されると共に、紫外光と可視光とを含む光を発するＬＥＤ光源部と、
上記凹部を形成する凹部形成面の少なくとも一部であると共に、上記ＬＥＤ光源部が発した上記光を前方へ反射するように、前後方向に対して傾斜した反射面と、
上記凹部形成面に開口する吸引口と、
上記筐体の内側の空間であると共に、上記吸引口を介して、上記凹部空間と連通する気流通路と、
上記吸引口を介して、上記凹部空間から上記気流通路に向かう気流を発生させる気流発生部と、
上記気流通路に配置される捕虫部と、を有し、
上記反射面には多数の溝が形成されている、捕虫機。
【請求項２】
上記多数の溝は、上記反射面の前端から後端に向かう方向に沿って形成されている、請求項１に記載の捕虫機。
【請求項３】
上記ＬＥＤ光源部の前方には、前方から見たとき、該ＬＥＤ光源部と重なるように配置された遮光カバーが設けられている、請求項１又は２に記載の捕虫機。
【請求項４】
上記ＬＥＤ光源部は長尺形状を有し、上記遮光カバーは、前方から見たとき上記ＬＥＤ光源部と重なるカバー本体部と、該カバー本体部の、上記前後方向と上記ＬＥＤ光源部の長手方向との双方に直交する直交方向における両端部のうち、少なくとも一方から後方に向かって延設された延設部と、を有する、請求項３に記載の捕虫機。
【請求項５】
上記延設部は、上記カバー本体部の上記直交方向における両端部の双方から延設されている、請求項４に記載の捕虫機。
【考案の詳細な説明】
【技術分野】
【０００１】
本考案は、捕虫機に関する。
【背景技術】
【０００２】
例えば、害虫を駆除するため、光源によって虫を誘引すると共に、誘引された虫を吸引して捕虫する捕虫機が知られている。特許文献１には、光源としてＬＥＤ光源を備えた捕虫機が開示されている。
【０００３】
ＬＥＤ光源は、蛍光灯等と比較し、長寿命化、省電力化を図ることができる一方で、光が指向性を有する。それゆえ、効率的に虫を誘引すると共に、眩しさを抑制するために、ＬＥＤ光源からの光を拡散させることが考えられる。特許文献１の捕虫機においては、ＬＥＤ光源からの光を拡散させるため、光拡散樹脂が用いられている。
【先行技術文献】
【特許文献】
【０００４】
【特許文献１】特開２０２０−１９５４０３号公報
【考案の概要】
【考案が解決しようとする課題】
【０００５】
しかしながら、特許文献１の捕虫機の場合、ＬＥＤ光源からの光は、光拡散樹脂を通過することにより、弱くなるおそれがある。そのため、虫を誘引する効果を向上させ、捕虫性能を向上させる観点から、更なる改善の余地があるといえる。
【０００６】
本考案は、かかる課題に鑑みてなされたものであり、捕虫性能を向上させることができると共に、眩しさを抑制することができる捕虫機を提供しようとするものである。
【課題を解決するための手段】
【０００７】
本考案の一態様は、前面の一部が後方に後退することによって形成された凹部を有する筐体と、
上記凹部の内側の空間である凹部空間に配置されると共に、紫外光と可視光とを含む光を発するＬＥＤ光源部と、
上記凹部を形成する凹部形成面の少なくとも一部であると共に、上記ＬＥＤ光源部が発した上記光を前方へ反射するように、前後方向に対して傾斜した反射面と、
上記凹部形成面に開口する吸引口と、
上記筐体の内側の空間であると共に、上記吸引口を介して、上記凹部空間と連通する気流通路と、
上記吸引口を介して、上記凹部空間から上記気流通路に向かう気流を発生させる気流発生部と、
上記気流通路に配置される捕虫部と、を有し、
上記反射面には多数の溝が形成されている、捕虫機にある。
【考案の効果】
【０００８】
上記捕虫機において、反射面には多数の溝が形成されている。それゆえ、ＬＥＤ光源部からの光の減少を抑制しつつ、ＬＥＤ光源部からの光を効率的に拡散させることができる。その結果、捕虫性能を向上させることができると共に、眩しさを抑制することができる。
【０００９】
以上のごとく、上記態様によれば、捕虫性能を向上させることができると共に、眩しさを抑制することができる捕虫機を提供することができる。
【図面の簡単な説明】
【００１０】
【図１】実施例１における、捕虫機を前方から見た図であって、図２のI矢視図。
【図２】図１のII−II線矢視断面図。
【図３】実施例１における、反射面の拡大図。
【図４】実施例２における、反射面の拡大図。
【図５】評価試験１における、比較例１の捕虫機を前方から見た写真。
【図６】評価試験１における、実施例１の捕虫機を前方から見た写真。
【図７】評価試験１における、実施例２の捕虫機を前方から見た写真。
【図８】評価試験１における、実施例１の捕虫機の反射面を、拡大観察したときの写真。
【図９】実施例３における、捕虫機を前方から見た図であって、図１０のIX矢視図。
【図１０】図９のA−A線矢視断面図。
【図１１】実施例３における、直交方向における各部位の幅を示す断面図。
【考案を実施するための形態】
【００１１】
上記捕虫機は、例えば、食品工場、飲食店等における、害虫の駆除、虫のモニタリング等に用いることができる。また、駆除、モニタリング等の対象となる虫は、例えば、正の走光性を有するハエ、ユスリカ等とすることができる。また、本明細書において、凹部の開口部の開口方向と平行な方向を前後方向という。また、前後方向において、凹部の開口部が開口する側を前方、その反対側を後方という。
【００１２】
また、上記多数の溝は、上記反射面の前端から後端に向かう方向に沿って形成されていることが好ましい。この場合には、ＬＥＤ光源部からの光を一層効率的に拡散させることができる。その結果、捕虫性能を一層向上させることができると共に、眩しさを一層抑制することができる。
【００１３】
また、上記ＬＥＤ光源部の前方には、前方から見たとき、該ＬＥＤ光源部と重なるように配置された遮光カバーが設けられていることが好ましい。この場合には、ＬＥＤ光源部が視界に入りにくい。その結果、眩しさを一層抑制することができる。
【００１４】
また、上記ＬＥＤ光源部は長尺形状を有し、上記遮光カバーは、前方から見たとき上記ＬＥＤ光源部と重なるカバー本体部と、該カバー本体部の、上記前後方向と上記ＬＥＤ光源部の長手方向との双方に直交する直交方向における両端部のうち、少なくとも一方から後方に向かって延設された延設部と、を有することが好ましい。この場合には、ＬＥＤ光源部が、視界に確実に入りにくい。その結果、眩しさを確実に抑制することができる。
【００１５】
また、上記延設部は、上記カバー本体部の上記直交方向における両端部の双方から延設されていることが好ましい。この場合には、ＬＥＤ光源部が、視界に一層確実に入りにくい。その結果、眩しさを一層確実に抑制することができる。
【実施例】
【００１６】
（実施例１）
捕虫機に係る実施例について、図１〜図３を参照して説明する。
本例の捕虫機１は、図１、図２に示すごとく、筐体２と、ＬＥＤ光源部３と、反射面４と、吸引口２３と、気流通路２０と、気流発生部５と、捕虫部６と、を有する。筐体２は、前面２１の一部が後方に後退することによって形成された凹部２２を有する。ＬＥＤ光源部３は、凹部２２の内側の空間である凹部空間２２１に配置される。また、ＬＥＤ光源部３は、紫外光と可視光とを含む光を発する。
【００１７】
反射面４は、凹部２２を形成する凹部形成面２２２の少なくとも一部である。反射面４は、ＬＥＤ光源部３が発した光を前方へ反射するように、前後方向Ｚに対して傾斜している。
【００１８】
吸引口２３は、凹部形成面２２２に開口する。気流通路２０は、筐体２の内側の空間である。気流通路２０は、吸引口２３を介して、凹部空間２２１と連通する。気流発生部５は、吸引口２３を介して、凹部空間２２１から気流通路２０に向かう気流を発生させる。捕虫部６は、気流通路２０に配置される。また、図３に示すごとく、反射面４には多数の溝４１が形成されている。
【００１９】
以下、本例の捕虫機１について、詳述する。本例の捕虫機１は、例えば、食品工場、飲食店等の床に設置して、用いることができる。本明細書において、鉛直方向に平行な方向を上下方向Ｙという。また、上下方向Ｙにおいて、捕虫機１に対して床側を下側、その反対側を上側という。また、前後方向Ｚと上下方向Ｙとの双方に直交する方向を横方向Ｘという。
【００２０】
筐体２は、図１、図２に示すごとく、略直方体形状を呈している。本例において、筐体２は金属からなる。具体的には、筐体２はステンレス鋼からなる。凹部２２は、筐体２の上側に形成されている。
【００２１】
凹部２２は、図２に示すごとく、開口部２２３から後方に向かうほど、上下方向Ｙにおける幅が小さくなるように形成されている。
【００２２】
また、ＬＥＤ光源部３は、凹部空間２２１における、上下方向Ｙの略中央に配置されている。図１、図２に示すごとく、ＬＥＤ光源部３は長尺形状を有する。ＬＥＤ光源部３は、その長手方向が、横方向Ｘに沿うように、配置されている。また、ＬＥＤ光源部３は、吸引口２３の前方に配置されている。
【００２３】
ＬＥＤ光源部３は、可視光と、虫を誘引する効果を有する紫外光とを発する。ＬＥＤ光源部３は、反射面４に向けて光を発している。また、本例において、ＬＥＤ光源部３は、８つのＬＥＤチップ３１を備えている。
【００２４】
本例において、反射面４は、２つ形成されている。それぞれの反射面４は、凹部２２の後端から開口部２２３にわたって形成されている。
【００２５】
上下方向において、２つの反射面４同士の間に、ＬＥＤ光源部３が配置されている。つまり、ＬＥＤ光源部３よりも上側に、一方の反射面４が配置されており、ＬＥＤ光源部３よりも下側に、他方の反射面４が配置されている。そして、ＬＥＤ光源部３における８つのＬＥＤチップ３１のうち、４つのＬＥＤチップ３１が、上側の反射面４に向かって光を発し、残りの４つのＬＥＤチップ３１が、下側の反射面４に向かって光を発している。
【００２６】
２つの反射面４のうち、上側の反射面４は、開口部２２３から後方に向かうほど、下側に向かうように形成されており、下側の反射面４は、開口部２２３から後方に向かうほど、上側に向かうように形成されている。つまり、２つの反射面４は、凹部２２の開口部２２３から後方に向かうほど互いに近づくように配置されている。２つの反射面４は、上側から見たとき（図示略）、互いに重なるように配置されている。
【００２７】
２つの反射面４は、それぞれ、ＬＥＤ光源部３からの光を、凹部２２の開口部２２３を介して、外部へ反射している。図１に示すごとく、前方から見たとき、反射面４は視認できる。
【００２８】
また、反射面４には、多数の溝４１が形成されている。本例において、多数の溝４１は、反射面４の前端から後端に向かう方向に沿って形成されている。多数の溝４１は、図３に示すごとく、前方から見たとき、上下方向Ｙに沿うように形成されている。また、多数の溝４１は、反射面４の略全体に形成されている。
【００２９】
本例において、反射面４に形成された溝４１は、溝４１の並び方向において、１ｍｍあたり、５０〜２００本形成されている。反射面４の溝４１は、例えば、溝を形成する前の反射面４を、粒度１５０〜２４０番の研磨ベルトを用いて削ることによって、形成することができる。
【００３０】
また、図１、図２に示すごとく、凹部２２の後端部を形成する凹部形成面２２２には、吸引口２３が開口している。本例において、吸引口２３は、凹部形成面２２２に２つ開口している。２つの吸引口２３は、横方向Ｘに並んでいる。吸引口２３は、上下方向Ｙの幅よりも、横方向Ｘの幅の方が長くなるように形成されている。上下方向Ｙにおける吸引口２３の幅は、例えば、５〜１０ｍｍとすることができる。
【００３１】
図１に示すごとく、前方から見たとき、吸引口２３は、ＬＥＤ光源部３と重なるように形成されている。吸引口２３は、凹部２２における、上下方向Ｙの略中央の位置に形成されている。それぞれの吸引口２３は、図２に示すごとく、凹部空間２２１と気流通路２０とを、前後方向Ｚに連通させている。
【００３２】
また、筐体２は、図１、図２に示すごとく、吸引口２３と捕虫部６とを繋ぐ気流通路２０を形成する導虫部２４を有する。導虫部２４は、筒状に形成された筒状部２４１と、筒状部２４１に近づくほど横方向Ｘの幅が小さくなるテーパ部２４２とを有する。筒状部２４１は、テーパ部２４２の下側に形成されている。筒状部２４１の下端部には、捕虫部６が固定されている。
【００３３】
捕虫部６は、気流通路２０における吸引口２３と気流発生部５との間に設置されている。捕虫部６は、通気性を有する。本例において、捕虫部６は、メッシュ状の袋体である。捕虫部の網目の大きさは、捕虫対象となる虫の大きさよりも小さくなっている。
【００３４】
また、図１に示すごとく、捕虫部６の近傍には、気流発生部５が設置されている。気流発生部５は、気流通路２０の空気を外部に排出することにより、吸引口２３を介して、凹部空間２２１から気流通路２０へと向かう気流を発生させる。気流発生部５によって気流を発生させた際、凹部空間２２１における吸引口２３付近の気流の流速は、例えば、０．５〜４．０ｍ／ｓとすることができる。本例において、気流発生部５は、ブロアファンである。
【００３５】
また、気流発生部５に隣接するように、フィルタ部５１が設けられている。フィルタ部５１は、筐体２の前面２１に設けられている。フィルタ部５１は、気流発生部５に対し、気流発生部５によって形成された気流の下流側に設けられている。フィルタ部５１は、気流発生部５によって気流通路２０から外部に排出される空気を濾過する。フィルタ部５１は、例えば、合成繊維製の不織布からなる。
【００３６】
また、図１、図２に示すごとく、吸引口２３の近傍には、計測部１１が設けられている。計測部１１は、気流通路２０に面するように、筐体２に固定されている。計測部１１は、吸引口２３から気流通路２０に吸引された虫の数を計測する。計測部１１によって計測された虫の数は、筐体２の前面２１に設けられた表示部（図示略）に表示される。本例において、計測部１１は、ファイバーセンサーである。
【００３７】
次に、捕虫機１によって、虫が捕虫されるまでの流れについて説明する。
ＬＥＤ光源部３からの光は、反射面４によって前方へ反射され、外部へと向かう。ここで、ハエ、ユスリカ等は、正の走光性を有する。そのため、これらの虫は、反射面４によって反射されたＬＥＤ光源部３からの光に誘引されて、外部から凹部空間２２１に向かう。また、凹部空間２２１内には、吸引口２３を介して、凹部空間２２１から気流通路２０へと向かう気流が形成されている。それゆえ、凹部空間２２１内の虫は、気流によって、吸引口２３を介して気流通路２０へと引き込まれる。ここで、気流通路２０には、捕虫部６が設置されている。そのため、気流通路２０内を気流によって運ばれた虫は、捕虫部６によって捕虫される。なお、捕虫部６内に流入した気流は、通気性を有する捕虫部６を通過し、気流発生部５へと向かう。その後、気流は、フィルタ部５１を通って外部へと排気される。
【００３８】
次に、本例の作用効果を説明する。
上記捕虫機１において、反射面４には多数の溝４１が形成されている。それゆえ、ＬＥＤ光源部３からの光の減少を抑制しつつ、ＬＥＤ光源部３からの光を効率的に拡散させることができる。その結果、捕虫性能を向上させることができると共に、眩しさを抑制することができる。
【００３９】
反射面４に形成された多数の溝４１は、指向性を有するＬＥＤ光源部３からの光を、乱反射させることができる。また、ＬＥＤ光源部３からの光は、光を拡散させるための樹脂等を通過することなく、反射面４によって拡散されるため、ＬＥＤ光源部３からの光の減少を抑制することができる。それゆえ、外部の広範囲に向けて、光を効率的に拡散させることができる。それゆえ、外部の虫を、凹部空間２２１へと効果的に誘引することができると共に、眩しさを抑えることができる。つまり、捕虫機１を食品工場、飲食店等に設置した際、効果的に虫を誘引し、捕虫することができると共に、捕虫機１の近傍にて作業等を行う場合であっても、眩しさを抑えることができる。その結果、捕虫性能を向上させることができると共に、眩しさを抑制することができる。
【００４０】
多数の溝４１は、反射面４の前端から後端に向かう方向に沿って形成されている。それゆえ、ＬＥＤ光源部３からの光を一層効率的に拡散させることができる。その結果、捕虫性能を一層向上させることができると共に、眩しさを一層抑制することができる。
【００４１】
本例において、反射面４の溝４１は、溝を形成する前の反射面４を、粒度１５０〜２４０番の研磨ベルトを用いて削ることによって、形成されている。それゆえ、多数の溝４１を有する反射面４を容易に形成することができる。その結果、捕虫性能を向上させることができると共に、眩しさを抑制することができる捕虫機１を効率的に製造することができる。
【００４２】
２つの反射面４は、凹部２２の開口部２２３から後方に向かうほど互いに近づくように配置されている。それゆえ、ＬＥＤ光源部３からの光を、前方の外部に向かって、確実に反射させることができる。その結果、捕虫性能を確実に向上させることができる。
【００４３】
捕虫機１は、光を拡散させるための樹脂を用いることなく、反射面４によって光を拡散させる。それゆえ、樹脂の劣化、破損等による異物の発生を抑えることができる。
【００４４】
以上のごとく、本例によれば、捕虫性能を向上させることができると共に、眩しさを抑制することができる捕虫機１を提供することができる。
【００４５】
（実施例２）
本例は、図４に示すごとく、実施例１に対し、反射面４に形成された溝４１の形成方向を変更した例である。
【００４６】
本例において、多数の溝４１は、図４に示すごとく、前方から見たとき、上下方向Ｙに直交するように形成されている。また、多数の溝４１は横方向Ｘに沿って形成されている。
その他は、実施例１と同様である。なお、実施例２以降において用いた符号のうち、既出の実施例において用いた符号と同一のものは、特に示さない限り、既出の実施例におけるものと同様の構成要素等を表す。
本例においても、実施例１と同様の作用効果を有する。
【００４７】
（評価試験１）
本試験では、図５〜図７に示すごとく、反射面４９に溝が形成されていないと共に反射面４９が鏡面となった比較例１の捕虫機９と、実施例１の捕虫機１と、実施例２の捕虫機１とを用いて、反射面４、４９によって反射された光の眩しさについて官能試験を行った。具体的には、捕虫機１、９に対して前方に５ｍ離れた位置から、捕虫機１、９の前面側を見たときの眩しさについて、被験者１０人によって、官能試験を行った。また、比較例１の捕虫機９は、反射面を除き、実施例１の捕虫機１と同じ構成を有する。
【００４８】
次に、本試験の結果について説明する。本試験において、実施例２の捕虫機１の場合、被験者の全員が許容できる眩しさであると感じる結果となった。また、実施例１の捕虫機１の場合、被験者の全員が、実施例２の捕虫機１よりも、実施例１の捕虫機１の方が、眩しさが抑えられたと感じる結果となった。一方、比較例１の捕虫機９の場合、被験者の全員が不快感を伴った眩しさであると感じ、実施例１及び実施例２と比較し、眩しさを強く感じる結果となった。
【００４９】
また、図５〜図７は、捕虫機１、９を前方から見たときの写真である。図５に示すように、比較例１の場合、ＬＥＤ光源部３からの光Ｌが、反射面４９上において大きく広がることなく、反射していることが分かる。また、図６に示すように、実施例１の場合、ＬＥＤ光源部３からの光Ｌは、反射面４上において、比較例１と比較し、横方向Ｘに長くなるように、広がって見えることが分かる。また、図７に示すように、実施例２の場合、ＬＥＤ光源部３からの光Ｌは、反射面４上において、比較例１と比較し、反射面４の前端から後端に向かう方向に長くなるように、広がって見えることが分かる。
【００５０】
上記結果より、比較例１の捕虫機９よりも、実施例１及び実施例２の捕虫機１の方が、ＬＥＤ光源部３からの光Ｌを、反射面において、効率的に拡散したと考えられる。つまり、比較例１の捕虫機９において、反射面４９は、溝を有さず、表面が鏡面となっている。そのため、比較例１の場合、指向性を有するＬＥＤ光源部３からの光が、反射面４９によって充分に拡散されることなく反射されことにより、被験者に強い眩しさを感じさせたと考えられる。一方、実施例１及び実施例２の場合、ＬＥＤ光源部３からの光が、反射面４に形成された多数の溝４１によって効率的に拡散されたことにより、被験者の感じる眩しさを抑制できたと考えられる。また、特に、実施例１の場合、被験者の感じる眩しさを一層抑制することができた。実施例１において、反射面４の溝４１は、反射面４の前端から後端に向かう方向に沿って形成されている。溝４１がこのような方向に形成されていることにより、ＬＥＤ光源部３からの光Ｌは、反射面４によって一層効率的に拡散されたと考えられる。
【００５１】
また、図８に示すごとく、本試験にて用いた実施例１の捕虫機１における反射面４に対し、実体顕微鏡（モリテックス社製、ＳＣＯＰＥＭＡＮ  ＤＩＧＩＴＡＬ  ＣＣＤ  ＭＩＣＲＯＳＣＯＰＥ  ＭＳ-８０４）を用いて拡大観察を行った。図８に示すごとく、多数の溝４１は直線状に形成されていることが分かる。また、それぞれの溝４１は、長さ及び幅に、ばらつきがあることが確認された。また、溝４１は、溝４１の並び方向において、１ｍｍ当たりの平均本数が、９８本であった。
【００５２】
（実施例３）
本例は、図９〜図１１に示すごとく、ＬＥＤ光源部３の前方に遮光カバー７を設けた例である。
すなわち、ＬＥＤ光源部３の前方には、前方から見たとき、ＬＥＤ光源部３と重なるように配置された遮光カバー７が設けられている。遮光カバー７は、ＬＥＤ光源部３から直接前方へ発せられた光を遮るように配置されている。
【００５３】
本例において、遮光カバー７は、図９に示すごとく、前方から見たとき、ＬＥＤ光源部３の全体と重なるように設けられている。遮光カバー７は、図９、図１０に示すごとく、凹部空間２２１に配置されている。また、遮光カバー７は、筐体２に対し、ネジ７３によって固定されている。
【００５４】
また、遮光カバー７は、図９〜図１１に示すごとく、前方から見たときＬＥＤ光源部３と重なるカバー本体部７１と、延設部７２と、を有する。延設部７２は、カバー本体部７１の、前後方向ＺとＬＥＤ光源部３の長手方向との双方に直交する直交方向における両端部のうち、少なくとも一方から後方に向かって延設されている。本例において、延設部７２は、カバー本体部７１の直交方向における両端部の双方から延設されている。
【００５５】
また、延設部７２は、カバー本体部７１の直交方向における両端部の全体から、延設されている。また、延設部７２は、上下方向Ｙから見たとき（図示略）、ＬＥＤ光源部３の一部と重なるように配置されている。
【００５６】
また、図１１に示すごとく、直交方向において、遮光カバー７の幅Ｄ１は、ＬＥＤ光源部３の幅Ｄ２よりも大きい。また、直交方向において、遮光カバー７の幅Ｄ１は、凹部２２の開口部２２３の幅Ｄ３よりも小さい。本例において、幅Ｄ１は、幅Ｄ３の１／３以下となっている。
その他は、実施例１と同様である。
【００５７】
ＬＥＤ光源部３の前方には、前方から見たとき、ＬＥＤ光源部３と重なるように配置された遮光カバー７が設けられている。それゆえ、ＬＥＤ光源部３が視界に入りにくい。その結果、眩しさを一層抑制することができる。つまり、遮光カバー７は、反射面４に反射されることなく、ＬＥＤ光源部３から直接前方へ発せられた光を、効果的に遮ることができる。
【００５８】
遮光カバー７は、カバー本体部７１と、延設部７２と、を有する。延設部７２は、カバー本体部７１の、直交方向における両端部のうち、少なくとも一方から後方に向かって延設されている。それゆえ、ＬＥＤ光源部３が、視界に確実に入りにくい。その結果、眩しさを確実に抑制することができる。
【００５９】
延設部７２は、カバー本体部７１の直交方向における両端部の双方から延設されている。それゆえ、ＬＥＤ光源部３が、視界に一層確実に入りにくい。その結果、眩しさを一層確実に抑制することができる。
【００６０】
幅Ｄ１は、幅Ｄ３よりも小さい。それゆえ、遮光カバー７は、反射面４によって反射されたＬＥＤ光源部３からの光を遮ることを抑えつつ、ＬＥＤ光源部３から直接前方に発せられた光を遮ることができる。その結果、捕虫性能を確保しつつ、眩しさを抑制することができる。
その他、実施例１と同様の作用効果を有する。
【００６１】
上記実施例１〜３において、ＬＥＤ光源部３は、その長手方向が横方向Ｘに沿うように配置されている。ただし、ＬＥＤ光源部は、例えば、その長手方向が上下方向に沿うように、配置することもできる。
【００６２】
上記実施例１〜３において、反射面４に形成された多数の溝４１は、一方向に沿って形成されている。ただし、例えば、多数の溝４１同士が互いに交差、又は直交するように、溝４１を形成することもできる。
【００６３】
上記実施例１〜３において、捕虫機１は、床に設置されている。ただし、捕虫機は、例えば、後面に取付金具を設けることにより、壁面に取り付けることもできる。
【００６４】
上記実施例１〜３において、筐体２における反射面４が形成された部分は、ステンレス鋼からなる。ただし、筐体２における反射面４が形成された部分は、例えば、アルミニウム、アルミニウム合金等、他の金属又は合金からなるものとすることもできる。
【００６５】
本考案は上記各実施例に限定されるものではなく、その要旨を逸脱しない範囲において種々の実施例に適用することが可能である。
【符号の説明】
【００６６】
１…捕虫機、２…筐体、２０…気流通路、２１…前面、２２…凹部、２２１…凹部空間、２２２…凹部形成面、２３…吸引口、３…ＬＥＤ光源部、４…反射面、４１…溝、５…気流発生部、６…捕虫部、Ｚ…前後方向
【図１】
0003235486.tif 000003
【図２】
0003235486.tif 000004
【図３】
0003235486.tif 000005
【図４】
0003235486.tif 000006
【図５】
0003235486.tif 000007
【図６】
0003235486.tif 000008
【図７】
0003235486.tif 000009
【図８】
0003235486.tif 000010
【図９】
0003235486.tif 000011
【図１０】
0003235486.tif 000012
【図１１】
0003235486.tif 000013